(57)【要約】【課題】軽量で、且つ、対物レンズを安定して駆動させることが可能な対物レンズ駆動装置およびそれを用いた光ピックアップ装置を提供する。【解決手段】対物レンズアクチュエータ２は、対物レンズ１１３、１１４と、レンズホルダ２１と、レンズホルダ２１を支持するサスペンションワイヤー４３、４４と、対物レンズ１１３、１１４を挟むレンズホルダ２１の２つの側面に配され、サスペンションワイヤー４３、４４がそれぞれ連結される鍔部２１２ｋ、２１２ｎと、を備える。サスペンションワイヤー４３、４４は、鍔部２１２ｋ、２１２ｎに連結された状態において、鍔部２１２ｋ、２１２ｎよりも端部が延びた長さを有する。鍔部２１２ｋ、２１２ｎからサスペンションワイヤー４３、４４の先端までの間の所定の位置において、サスペンションワイヤー４３、４４がレンズホルダ２１に固定される。【選択図】図１２
2014093106.tif 000002
【特許請求の範囲】
【請求項１】
少なくとも一つの対物レンズと、
前記対物レンズを保持するホルダと、
前記ホルダを変位可能に支持する線状の支持部材と、
前記対物レンズを挟む前記ホルダの２つの側面に配され、前記支持部材がそれぞれ連結される第１および第２の連結部と、を備え、
前記支持部材は、前記第１および第２の連結部に連結された状態において、前記第１および第２の連結部に対する連結位置よりも端部が延びた長さを有し、前記連結位置から前記支持部材の先端までの間の所定の位置において、前記支持部材が前記ホルダに固定されている、
ことを特徴とする対物レンズ駆動装置。
【請求項２】
請求項１に記載の対物レンズ駆動装置において、
前記支持部材は、前記連結位置から前記支持部材の先端までの間の前記所定の位置において、接着剤により、前記ホルダに固定されている、
ことを特徴とする対物レンズ駆動装置。
【請求項３】
請求項２に記載の対物レンズ駆動装置において、
前記ホルダの側面には、前記支持部材の先端に対向する壁面が形成され、当該壁面と前記支持部材の先端との間に前記接着剤が塗布される、
ことを特徴とする対物レンズ駆動装置。
【請求項４】
請求項１ないし３の何れか一項に記載の対物レンズ駆動装置において、
前記ホルダにコイルが装着され、
前記支持部材は、導電性材料からなっており、
前記コイルが前記支持部材に接続される、
ことを特徴とする対物レンズ駆動装置。
【請求項５】
請求項４に記載の対物レンズ駆動装置において、
前記ホルダの前記２つの側面にそれぞれ配され、前記コイルと前記支持部材を中継する第１および第２の回路基板をさらに備え、
前記第１および第２の回路基板は、それぞれ、前記第１および第２の連結部に対して、前記支持部材の先端と反対側の位置に配置される、
ことを特徴とする対物レンズ駆動装置。
【請求項６】
請求項５に記載の対物レンズ駆動装置において、
前記第１および第２の連結部は、それぞれ、前記２つの側面の中央よりも前記支持部材の先端に近づく方向に変位した位置に配置され、
前記第１および第２の回路基板は、少なくとも一部が、前記２つの側面の中央を覆うように配されている、
ことを特徴とする対物レンズ駆動装置。
【請求項７】
請求項１ないし６の何れか一項に記載の対物レンズ駆動装置において、
前記ホルダは、第１の対物レンズと第２の対物レンズを保持し、
前記２つの側面は、前記第１および第２の対物レンズの並び方向に垂直な方向に前記第１および第２の対物レンズを挟む、
ことを特徴とする対物レンズ駆動装置。
【請求項８】
請求項７に記載の対物レンズ駆動装置において、
前記第１の対物レンズは、ＣＤおよびＤＶＤ用の対物レンズであり、前記第２の対物レンズは、ＢＤ用の対物レンズである、
ことを特徴とする対物レンズ駆動装置。
【請求項９】
請求項１ないし８の何れか一項に記載の対物レンズ駆動装置と、
レーザ光源から出射されたレーザ光を前記対物レンズ駆動装置に保持された前記対物レンズによってディスク上に収束させると共に、前記ディスクによって反射された前記レーザ光を光検出器に導く光学系とを備える、
ことを特徴とする光ピックアップ装置。
【発明の詳細な説明】
【技術分野】
【０００１】
本発明は、対物レンズ駆動装置およびそれを用いた光ピックアップ装置に関する。
【背景技術】
【０００２】
従来、複数の記憶媒体に対応可能な互換型の光ピックアップ装置が開発されている。かかるピックアップ装置では、異なる波長のレーザ光を用いて、光ディスクに対する情報の読み書きが行われる。
【０００３】
この種の光ピックアップ装置では、対応する光ディスクの記録密度に応じて、要求される対物レンズの開口数が異なっている。たとえば、異なる規格の光ディスクに対応するために、複数の対物レンズを用いて、フォーカスサーボ、トラッキングサーボを行う対物レンズ駆動装置が知られている（たとえば、特許文献１）。かかる対物レンズ駆動装置では、可動部側にコイルが配され、ベースにマグネットが配される。
【先行技術文献】
【特許文献】
【０００４】
【特許文献１】特開２００９−２７７３０４号公報
【発明の概要】
【発明が解決しようとする課題】
【０００５】
上記対物レンズ駆動装置では、軽量化のため、可動部は、肉薄で軽い素材が用いられる。この場合、可動部の剛性が劣化し、フォーカスサーボ、トラッキングサーボ時に、可動部自身が変形する惧れがある。フォーカスサーボ、トラッキングサーボ時に、可動部が変形すると、可動部が共振（振動）し、対物レンズが設計位置から変位して、記録再生特性に劣化が生じる。
【０００６】
本発明は、このような点に鑑みてなされたものであり、軽量で、且つ、対物レンズを安定して駆動させることが可能な対物レンズ駆動装置およびそれを用いた光ピックアップ装置を提供することを目的とする。
【課題を解決するための手段】
【０００７】
本発明の第１の態様は、対物レンズ駆動装置に関する。この態様に係る対物レンズ駆動装置は、少なくとも一つの対物レンズと、前記対物レンズを保持するホルダと、前記ホルダを変位可能に支持する線状の支持部材と、前記対物レンズを挟む前記ホルダの２つの側面に配され、前記支持部材がそれぞれ連結される第１および第２の連結部と、を備える。前記支持部材は、前記第１および第２の連結部に連結された状態において、前記第１および第２の連結部に対する連結位置よりも端部が延びた長さを有する。前記連結位置から前記支持部材の先端までの間の所定の位置において、前記支持部材が前記ホルダに固定されている。
【０００８】
本発明の第２の態様は、光ピックアップ装置に関する。この態様に係る光ピックアップ装置は、上記第１の態様に係る対物レンズ駆動装置と、レーザ光源から出射されたレーザ光を前記対物レンズ駆動装置に保持された前記対物レンズによってディスク上に収束させると共に、前記ディスクによって反射された前記レーザ光を光検出器に導く光学系とを備える。
【発明の効果】
【０００９】
本発明によれば、軽量で、且つ、対物レンズを安定して駆動させることが可能な対物レンズ駆動装置およびそれを用いた光ピックアップ装置を提供することができる。
【００１０】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１１】
【図１】実施の形態に係る光ピックアップ装置の光学系を示す図である。
【図２】実施の形態に係る対物レンズアクチュエータの分解斜視図である。
【図３】実施の形態に係るレンズユニットの組立過程を示す図である。
【図４】実施の形態に係るレンズユニットの組立過程を示す図である。
【図５】実施の形態に係るレンズユニットの組立過程を示す図である。
【図６】実施の形態に係るレンズユニットの構成を示す図である。
【図７】実施の形態に係るベースユニットの組立過程を示す図である。
【図８】実施の形態に係る対物レンズアクチュエータの組立過程を示す図である。
【図９】実施の形態に係る対物レンズアクチュエータの構成を示す図である。
【図１０】実施の形態に係る半田とレンズユニットの重心位置の関係を示す図である。
【図１１】実施の形態に係る対物レンズアクチュエータの磁気回路を示す図である。
【図１２】実施の形態および比較例に係る対物レンズアクチュエータの構成を示す図である。
【図１３】変更例に係る対物レンズアクチュエータの構成を示す図である。
【図１４】変更例に係る対物レンズアクチュエータの構成を示す図である。
【発明を実施するための形態】
【００１２】
以下、本発明の実施の形態につき図面を参照して説明する。
【００１３】
本実施の形態において、対物レンズ１１３、１１４は、請求項に記載の「第１および第２の対物レンズ」に相当する。図１（ａ）、（ｂ）に記載された光学部材は、請求項に記載の「光学系」に相当する。対物レンズアクチュエータ２は、請求項に記載の「対物レンズ駆動装置」に相当する。レンズホルダ２１は、請求項に記載の「ホルダ」に相当する。鍔部２１２ｍ、２１２ｐは、請求項に記載の「壁面」に相当する。鍔部２１２ｋ、２１２ｎは、請求項に記載の「第１および第２の連結部」に相当する。フォーカスコイル２２ａ〜２２ｄおよびトラッキングコイル２３ａ〜２３ｄは、請求項に記載の「コイル」に相当する。回路基板２４、２５は、請求項に記載の「第１および第２の回路基板」に相当する。サスペンションワイヤー４３、４４は、請求項に記載の「支持部材」に相当する。ただし、上記請求項と本実施の形態との対応の記載はあくまで一例であって、請求項に係る発明を本実施の形態に限定するものではない。
【００１４】
本実施の形態は、ＢＤ（Blu-ray Disc）、ＤＶＤ（Digital Versatile Disc）およびＣＤ（Compact Disc）に対応可能な互換型の光ピックアップ装置に本発明を適用したものである。
【００１５】
図１（ａ）、（ｂ）は、本実施の形態に係る光ピックアップ装置１の光学系を示す図である。図１（ａ）は、立ち上げミラー１１１、１１２よりもディスク側の構成を省略した光学系の平面図、図１（ｂ）は、立ち上げミラー１１１、１１２以降の光学系を側面から透視した図である。
【００１６】
図１（ａ）、（ｂ）に示すように、光ピックアップ装置１は、半導体レーザ１０１と、１／２波長板１０２と、半導体レーザ１０３と、回折格子１０４と、ダイクロイックミラ
ー１０５と、偏光ビームスプリッタ（ＰＢＳ）１０６と、フロントモニタ１０７と、コリメータレンズ１０８と、駆動機構１０９と、１／４波長板１１０と、立ち上げミラー１１１、１１２と、対物レンズ１１３、１１４と、非点収差板１１５と、光検出器１１６を備えている。これら光学系の各部は、光ピックアップ装置１のハウジングに対して、直接または他の部材を介して設置されている。なお、ＢＤ用の光学系には１ビーム方式が適用され、ＤＶＤ用の光学系とＣＤ用の光学系には、従来の３ビーム方式（インライン方式）が適用される。
【００１７】
半導体レーザ１０１は、波長４０５ｎｍ程度のレーザ光（以下、「ＢＤ光」という）を出射する。１／２波長板１０２は、ＢＤ光の偏光方向が、ＰＢＳ１０６に対してＳ偏光からややずれた方向となるように、ＢＤ光の偏光方向を調整する。半導体レーザ１０３は、波長７８０ｎｍ程度のＣＤ用レーザ光（以下、「ＣＤ光」という）と、波長６５０ｎｍ程度のＤＶＤ用レーザ光（以下、「ＤＶＤ光」という）をそれぞれ出射する２つのレーザ素子１０３ａ、１０３ｂを収容している。半導体レーザ１０３は、出射するＤＶＤ光とＣＤ光の偏光方向が、ＰＢＳ１０６に対してＳ偏光からややずれた方向となるよう設置されている。
【００１８】
図１（ｃ）は、半導体レーザ１０３をビーム出射側から見たときの図である。レーザ素子１０３ａ、１０３ｂから、ＣＤ光とＤＶＤ光が発光され、レーザ素子１０３ａとレーザ素子１０３ｂの間には、所定のギャップが存在している。
【００１９】
図１（ａ）、（ｂ）に戻り、回折格子１０４は、ＤＶＤ光とＣＤ光を、それぞれ、メインビームと２つのサブビームに分割する。ダイクロイックミラー１０５は、ＢＤ光を反射し、ＤＶＤ光とＣＤ光を透過する。
【００２０】
ＢＤ光、ＤＶＤ光、ＣＤ光は、それぞれ、一部がＰＢＳ１０６を透過し、大部分がＰＢＳ１０６によって反射される。ＰＢＳ１０６を透過したＢＤ光、ＤＶＤ光、ＣＤ光は、フロントモニタ１０７に照射される。フロントモニタ１０７は、受光光量に応じた信号を出力する。フロントモニタ１０７からの信号は、半導体レーザ１０１、１０３の出射パワー制御に用いられる。
【００２１】
コリメータレンズ１０８は、ＰＢＳ１０６側から入射するＢＤ光、ＤＶＤ光、ＣＤ光を平行光に変換する。駆動機構１０９は、収差補正の際に、制御信号に応じてコリメータレンズ１０８を光軸方向に移動させる。駆動機構１０９は、コリメータレンズ１０８を保持するホルダ１０９ａと、ホルダ１０９ａをコリメータレンズ１０８の光軸方向に送るためのギア１０９ｂとを備え、ギア１０９ｂは、モータ１０９ｃの駆動軸に連結されている。
【００２２】
コリメータレンズ１０８により平行光とされたＢＤ光、ＤＶＤ光、ＣＤ光は、１／４波長板１１０に入射する。１／４波長板１１０は、コリメータレンズ１０８側から入射するＢＤ光、ＤＶＤ光、ＣＤ光を円偏光に変換するとともに、立ち上げミラー１１１側から入射するＢＤ光、ＤＶＤ光、ＣＤ光を、コリメータレンズ１０８側から入射する際の偏光方向に直交する直線偏光に変換する。これにより、ディスクからの反射光は、ＰＢＳ１０６をＺ軸正方向に透過する。
【００２３】
立ち上げミラー１１１は、ダイクロイックミラーであり、ＢＤ光を透過するとともに、ＤＶＤ光とＣＤ光を対物レンズ１１３に向かう方向（Ｙ軸正方向）に反射する。立ち上げミラー１１２は、ＢＤ光を対物レンズ１１４に向かう方向（Ｙ軸正方向）に反射する。
【００２４】
対物レンズ１１３は、ＤＶＤ光とＣＤ光を、それぞれ、ＤＶＤとＣＤに対して適正に収束させるよう構成されている。また、対物レンズ１１４は、ＢＤ光をＢＤに適正に収束さ
せるよう構成されている。対物レンズ１１３、１１４は、レンズホルダ２１に保持された状態で、対物レンズアクチュエータ２により、フォーカス方向（Ｙ軸方向）およびトラッキング方向（Ｘ軸方向）に駆動される。
【００２５】
なお、レンズホルダ２１に保持される２つの対物レンズ１１３、１１４のうち、対物レンズ１１３がＣＤおよびＤＶＤ用の対物レンズであり、対物レンズ１１４がＢＤ用の対物レンズである構成は、請求項８に記載の構成の一例である。
【００２６】
ディスクからの反射光は、１／４波長板１１０によりＰＢＳ１０６に対してＰ偏光となる直線偏光に変換され、ＰＢＳ１０６を透過する。ＰＢＳ１０６は、片面に偏光膜が形成された平行平板からなっており、ＢＤ光、ＤＶＤ光、ＣＤ光の光軸に対して４５度傾くように配置されている。非点収差板１１５もまた、平行平板であり、ＢＤ光、ＤＶＤ光、ＣＤ光の光軸に対して傾くように配置されている。対応するディスクによって反射されたＢＤ光、ＤＶＤ光、ＣＤ光は、ＰＢＳ１０６と非点収差板１１５を透過することにより、所定の非点収差が導入される。
【００２７】
光検出器１１６の受光面には、ＢＤ光、ＤＶＤ光、ＣＤ光が照射される位置に、各光を受光するための複数のセンサが配置されている。各センサからの出力により、従来周知の手法にて、再生ＲＦ信号、フォーカスエラー信号、トラッキングエラー信号が生成される。
【００２８】
図２は、対物レンズアクチュエータ２の構成を示す分解斜視図である。
【００２９】
図２を参照して、対物レンズアクチュエータ２は、レンズユニット２０と、ベースユニット３０と、接続部４０とを備えている。
【００３０】
レンズユニット２０は、上述の対物レンズ１１３、１１４と、レンズホルダ２１と、フォーカスコイル２２ａ〜２２ｄと、トラッキングコイル２３ａ〜２３ｄと、回路基板２４、２５と、プロテクタ２６、２７を備えている。ベースユニット３０は、ベース３１とマグネット３２ａ〜３２ｄを備えている。接続部４０は、レンズユニット２０とベースユニット３０を接続する。接続部４０は、ゲルホルダ４１と、回路基板４２と、サスペンションワイヤー４３、４４と、ネジ４５を備えている。
【００３１】
図３〜図８を参照して、レンズユニット２０、ベースユニット３０の各部材の構成と、組立過程を説明する。なお、図３〜図８では、各部材の向きが、図２に対して、Ｚ軸方向に反転している。
【００３２】
図３は、レンズホルダ２１の構成と、レンズホルダ２１に対するフォーカスコイル２２ａ〜２２ｄおよびトラッキングコイル２３ａ〜２３ｄの装着過程を示す斜視図である。
【００３３】
レンズホルダ２１は、ＹＺ平面に平行な面に対して面対称な形状を有する。レンズホルダ２１は、軽量化のため、樹脂材等により構成されている。レンズホルダ２１には、レンズ保持部２１１と、コイル保持部２１２ａ、２１２ｂが形成されている。レンズ保持部２１１は、略直方体の輪郭を有する。
【００３４】
コイル保持部２１２ａ、２１２ｂは、それぞれ、レンズ保持部２１１の側面からＸ軸正負の方向に延びる枠部からなっている。コイル保持部２１２ａには、Ｘ軸正方向にフォーカスコイル２２ａ、２２ｂを嵌め込むことが可能な隙間が設けられている。同様に、コイル保持部２１２ｂには、Ｘ軸負方向にフォーカスコイル２２ｃ、２２ｄを嵌め込むことが可能な隙間が設けられている。また、コイル保持部２１２ａ、２１２ｂには、上下方向（
Ｙ軸方向）に並ぶ位置に開口２１２ｃ〜２１２ｆが形成されている。
【００３５】
コイル保持部２１２ａ、２１２ｂのＺ軸負側の側面には、それぞれ、Ｚ軸負方向に突出する鍔状のトラッキングコイル装着部２１２ｇ、２１２ｉが形成されている。また、コイル保持部２１２ａ、２１２ｂのＺ軸正側の側面には、それぞれ、Ｚ軸正方向に突出する鍔状のトラッキングコイル装着部２１２ｈ、２１２ｊが形成されている。
【００３６】
コイル保持部２１２ａのＸ軸負側の側面の中央からややＺ軸正方向に進んだ位置には、Ｘ軸負方向に突出する鍔部２１２ｋが形成されている。鍔部２１２ｋには、後述する３本のサスペンションワイヤー４３（図２参照）をレンズホルダ２１に固定するための３つのワイヤー孔２１２ｌが形成されている。また、コイル保持部２１２ａの側面の左端（Ｚ軸正方向）には、Ｘ軸負方向に突出する鍔部２１２ｍが形成されている。
【００３７】
同様に、コイル保持部２１２ｂの側面の中央からややＺ軸正方向に進んだ位置には、Ｘ軸正方向に突出する鍔部２１２ｎが形成されている。鍔部２１２ｎには、後述する３本のサスペンションワイヤー４４（図２参照）をレンズホルダ２１に固定するための３つのワイヤー孔２１２ｏが形成されている。また、コイル保持部２１２ａの側面の左端（Ｚ軸正方向）には、Ｘ軸正方向に突出する鍔部２１２ｐが形成されている。
【００３８】
フォーカスコイル２２ａ〜２２ｄは、後述するベース３１に固定されたマグネット３２ａ〜３２ｄからの磁束を受け、レンズホルダ２１にフォーカス方向（Ｙ軸方向）の電磁駆動力が生じるように、巻回方向と巻き数が調整されている。また、フォーカスコイル２２ａ〜２２ｄは、内周が開口２１２ｃ〜２１２ｆと略同様の輪郭を有するように巻回される。なお、図３では、フォーカスコイル２２ａ、２２ｂが互いに分離された状態で示されているが、実際には、フォーカスコイル２２ａ、２２ｂは、一続きとなっている。また、フォーカスコイル２２ｃ、２２ｄも、同様に、一続きとなっている。
【００３９】
トラッキングコイル２３ａ〜２３ｄは、後述するベース３１に固定されたマグネット３２ａ〜３２ｄからの磁束を受け、レンズホルダ２１にトラッキング方向（Ｘ軸方向）の電磁駆動力が生じるように、巻回方向と巻き数が調整されている。なお、図３では、便宜上、トラッキングコイル２３ａ〜２３ｄは、互いに分離された状態で示されているが、実際には、一続きとなっている。
【００４０】
レンズユニット２０の組立時には、まず、フォーカスコイル２２ａ、２２ｂが、Ｘ軸負側から、コイル保持部２１２ａの隙間に挿入され、コイル保持部２１２ａに接着固定される。また、同様に、フォーカスコイル２２ｃ、２２ｄが、Ｘ軸正側から、コイル保持部２１２ｂの隙間に挿入され、コイル保持部２１２ｂに接着固定される。そして、トラッキングコイル２３ａ〜２３ｄが、それぞれ、トラッキングコイル装着部２１２ｇ〜２１２ｊに装着される。これにより、図４に示す構成体が完成する。
【００４１】
なお、この状態で、フォーカスコイル２２ａ、２２ｂの始端と終端、および、トラッキングコイル２３ａ〜２３ｄの始端の３本の導線がレンズホルダ２１のＸ軸負側に位置付けられる。また、フォーカスコイル２２ｃ、２２ｄの始端と終端、および、トラッキングコイル２３ａ〜２３ｄの終端の３本の導線がレンズホルダ２１のＸ軸正側に位置付けられる。
【００４２】
図４は、レンズホルダ２１への回路基板２４、２５の装着過程を示す斜視図である。
【００４３】
回路基板２４、２５は、板状の形状を有している。回路基板２４の表面（Ｘ軸負側の面）には、所定の回路パターン２４ａ〜２４ｃが形成されている。回路基板２５の表面（Ｘ
軸正側の面）にも、同様に所定の回路パターン２５ａ〜２５ｃが形成されている（図１０参照）。
【００４４】
レンズユニット２０の組立時には、回路基板２４のＸ軸正側の側面が、コイル保持部２１２ａのＸ軸負側の側面に当接し、回路基板２４のＺ軸正側の側面が、鍔部２１２ｋのＺ軸負側の側面に当接するように、回路基板２４がコイル保持部２１２ａのＸ軸負側の側面に配置される。また、同様に、回路基板２５のＸ軸負側の側面が、コイル保持部２１２ｂのＸ軸正側の側面に当接し、回路基板２５のＺ軸正側の側面が、鍔部２１２ｎのＺ軸負側の側面に当接するように、回路基板２５がコイル保持部２１２ｂのＸ軸正側の側面に配置される。この状態で、回路基板２４、２５が、レンズホルダ２１に接着固定される。これにより、回路基板２４、２５の一部が、レンズホルダ２１の側面のＺ軸方向の中央に位置付けられる。こうして、図５に示す構成体が完成する。
【００４５】
なお、このようにコイル保持部２１２ａのＸ軸負側の側面に回路基板２４が配置され、コイル保持部２１２ｂのＸ軸正側の側面に回路基板２５が配置される構成は、請求項５に記載の構成の一例である。また、図４に示すように、鍔部２１２ｋ、２１２ｈが、それぞれ、コイル保持部２１２ａ、２１２ｂのＺ軸方向の中央位置からＺ軸正方向に変位した位置に配置され、回路基板２４、２５の一部が、レンズホルダ２１の側面のＺ軸方向の中央に位置付けられる構成は、請求項６に記載の構成の一例である。さらに、図４に示すように、対物レンズ１１３、１１４の並び方向に垂直な方向（Ｘ軸方向）に対物レンズ１１３、１１４を挟むレンズホルダ２１の２つの側面に、サスペンションワイヤー４３、４４を連結するための鍔部２１２ｋ、２１２ｎが設けられ、これら２つの側面に回路基板２４、２５が装着される構成は、請求項７に記載の構成の一例である。
【００４６】
図５は、レンズホルダ２１に対する対物レンズ１１３、１１４とプロテクタ２６、２７の装着過程を示す斜視図である。
【００４７】
レンズ保持部２１１の中央には、Ｚ軸方向に並ぶように、略円形状のレンズ装着部２１１ａ、２１１ｂが形成されている。レンズ保持部２１１のＸ軸負側の縁とＸ軸正側の縁には、それぞれ、一段低くなったプロテクタ装着部２１１ｃ、２１１ｄが形成されている。レンズ保持部２１１のＺ軸負側の側面には、レンズホルダ２１全体の重量を調整するためのバランサ２１１ｅが形成されている。また、レンズ保持部２１１のＹ軸負側は、立ち上げミラー１１１、１１２（図１（ｂ）参照）を内部に収容するため、中空となっている。レンズ保持部２１１のＺ軸正側の側面には、レーザ光を立ち上げミラー１１１、１１２（図１（ｂ）参照）に導くための光路孔２１１ｆ（図２参照）が形成されている。
【００４８】
レンズ装着部２１１ａは、対物レンズ１１３を嵌め込むための凹部Ｒ１ａと、この凹部Ｒ１ａの中央に形成された開口Ｒ２ａとを備える。また、凹部Ｒ１ａの周囲には、接着剤を塗布するための４つの接着溝Ｒ３ａが形成されている。
【００４９】
レンズ装着部２１１ｂは、対物レンズ１１４を嵌め込むための凹部Ｒ１ｂと、この凹部Ｒ１ｂの中央に形成された開口Ｒ２ｂとを備える。また、凹部Ｒ１ｂの周囲には、接着剤を塗布するための接着溝Ｒ３ｂが形成されている。
【００５０】
プロテクタ装着部２１１ｃには、Ｙ軸正方向に突出する鍔部Ｐ１ａ、Ｐ１ｂが形成されている。同様に、プロテクタ装着部２１１ｄには、Ｙ軸正方向に突出する鍔部Ｐ２ａ、Ｐ２ｂが形成されている。
【００５１】
プロテクタ２６、２７は、角が面取りされ、ＸＺ平面に平行な面を有するレンズ保護部材である。プロテクタ２６、２７のＹ軸方向の高さは、鍔部Ｐ１ａ、Ｐ１ｂ、Ｐ２ａ、Ｐ
２ｂのＹ軸方向の高さよりもやや高い。プロテクタ２６、２７には、それぞれ、レンズ保持部２１１に向かう方向に突出する鍔部２６ａ、２７ａが形成されている。プロテクタ２６のＸ軸負側の面には、接着溝２６ｂ、２６ｃが形成されている。同様に、プロテクタ２７のＸ軸正側の面には、接着溝２７ｂ、２７ｃ（図示せず）が形成されている。
【００５２】
レンズユニット２０の組立時には、対物レンズ１１３の下面（Ｙ軸負側の面）が、レンズ装着部２１１ａの凹部Ｒ１ａに嵌め込まれる。この状態で、接着溝Ｒ３ａに接着剤が塗布され、これにより、対物レンズ１１３がレンズホルダ２１に接着固定される。また、同様にして、対物レンズ１１４の下面（Ｙ軸負側の面）が、レンズ装着部２１１ｂの凹部Ｒ１ｂに嵌め込まれる。この状態で、接着溝Ｒ３ｂに接着剤が塗布され、これにより、対物レンズ１１４がレンズホルダ２１に接着固定される。
【００５３】
次に、プロテクタ２６が、鍔部Ｐ１ａ、Ｐ１ｂとレンズ保持部２１１の間のプロテクタ装着部２１１ｃに嵌め込まれる。そして、接着溝２６ｂ、２６ｃに接着剤が塗布されて、プロテクタ２６がレンズホルダ２１に接着固定される。同様にして、プロテクタ２７が、鍔部Ｐ２ａ、Ｐ２ｂとレンズ保持部２１１の間のプロテクタ装着部２１１ｄに嵌め込まれて接着固定される。これにより、プロテクタ２６、２７の上面は、対物レンズ１１３、１１４のレンズ面よりも高い位置に位置付けられる。したがって、ディスクが対物レンズ１１３、１１４のレンズ面に接触することが抑制される。こうして、図６に示すレンズユニット２０が完成する。図６は、組み立てられた状態のレンズユニット２０を示す斜視図である。
【００５４】
レンズユニット２０が組み立てられた状態で、Ｘ−Ｚ平面の面内方向におけるレンズユニット２０の重心Ｇ０は、対物レンズ１１３と、対物レンズ１１４の間に位置付けられる。具体的には、レンズユニット２０の重心Ｇ０は、レンズホルダ２１の略中央の位置に位置付けられている。
【００５５】
図７（ａ）は、ベース３１へのマグネット３２ａ〜３２ｄの装着過程を示す斜視図である。
【００５６】
ベース３１は、上面視において、略長方形の輪郭を有する。ベース３１は、磁性材料により構成されている。ベース３１は、底部３１ａと、壁部３１ｂ、３１ｃを有する。ベース３１は、ＹＺ平面に平行な面に対して面対称な形状を有する。
【００５７】
底部３１ａには、中央に立ち上げミラー１１１、１１２（図１（ｂ）参照）を収容するための開口３１ｄが形成されている。また、壁部３１ｃには、レーザ光を立ち上げミラー１１１、１１２（図１（ｂ）参照）に導くための光路孔３１ｅが形成されている。さらに、底部３１ａには、図示の如く、Ｙ軸正方向に突出するように、四角柱状のヨーク３１ｆ〜３１ｉが形成されている。平面視において、ヨーク３１ｆ〜３１ｉは長方形の形状を有する。ヨーク３１ｆ〜３１ｉは、略同じ厚み、幅で構成されている。
【００５８】
壁部３１ｂの両端には、Ｚ軸正方向に延びるマグネット装着部３１ｊ、３１ｌが形成されている。同様に、壁部３１ｃの両端には、Ｚ軸負方向に延びるマグネット装着部３１ｋ、３１ｍが形成されている。マグネット装着部３１ｊ〜３１ｍの内側面には、それぞれ、２つの矩形状の凸部Ｍａが形成されている。また、底部３１ａのマグネット装着部３１ｊ〜３１ｍに対面する位置には、円柱状の凸部Ｍｂが形成されている。
【００５９】
壁部３１ｂの上端には、鉤部３１ｎが形成されている。鉤部３１ｎには、ベース３１とゲルホルダ４１、回路基板４２をネジ４５で固定するためのネジ穴３１ｏが形成されている。また、鉤部３１ｎには、ゲルホルダ４１と係合するための２つの孔３１ｐが形成され
ている。
【００６０】
マグネット３２ａ〜３２ｄは、略直方体の形状を有する。マグネット３２ａ〜３２ｄは、互いに同じ形状および大きさとなっており、同じ大きさの磁力を有している。
【００６１】
ベースユニット３０の組立時には、マグネット３２ａ〜３２ｄの側面が、それぞれ、マグネット装着部３１ｊ〜３１ｍの内側面に形成された２つの凸部Ｍａと、壁部３１ｃ、３１ｂの側面に当接し、且つ、マグネット３２ａ〜３２ｄの底面が、それぞれ、底部３１ａに形成された円柱状の凸部Ｍｂに当接するように、マグネット３２ａ〜３２ｄがベース３１に設置される。この状態で、マグネット３２ａ〜３２ｄとベース３１の隙間に接着剤が流入され、マグネット３２ａ〜３２ｄがベース３１に接着固定される。これにより、図７（ｂ）に示すベースユニット３０が完成する。この状態で、マグネット３２ａ〜３２ｄにより生じた磁束は、それぞれに対向するヨーク３１ｆ〜３１ｉに入射する。なお、マグネット３２ａ〜３２ｄと、これらマグネット３２ａ〜３２ｄにそれぞれ対向するヨーク３１ｆ〜３１ｉとの間の距離は、同じである。
【００６２】
その後、レンズホルダ２１の開口２１２ｃ〜２１２ｆ（図３参照）が、ベース３１のヨーク３１ｆ〜３１ｈに通されて、レンズユニット２０がベースユニット３０内に位置付けられる。これにより、図８に示す構成が完成する。さらに、図２に示すゲルホルダ４１と回路基板４２が鉤部３１ｎに装着され、さらに、サスペンションワイヤー４３、４４が装着される。
【００６３】
図２を参照して、ゲルホルダ４１は、中央がＺ軸負方向に凹んだ形状を有する。ゲルホルダ４１のＸ軸方向の両端には、Ｚ軸方向に貫通する貫通孔４１ａ、４１ｂが形成されている。また、ゲルホルダ４１の凹部には、ベース３１の２つの孔３１ｐと係合する２つの突部４１ｃが形成されている。ゲルホルダ４１の凹部の中央には、ネジ孔４１ｄが形成されている。また、ゲルホルダ４１のＺ軸負側の面には、回路基板４２を嵌め込むための嵌合部４１ｅが形成されている。
【００６４】
回路基板４２は、ゲルホルダ４１の嵌合部４１ｅの形状に沿って、複数の段差を有している。回路基板４２の両端には、３つのサスペンションワイヤー４３を通すための３つのワイヤー孔４２ａと、３つのサスペンションワイヤー４３を通すための３つのワイヤー孔４２ｂが形成されている。また、回路基板４２の中央には、ネジ孔４２ｃが形成されている。
【００６５】
サスペンションワイヤー４３、４４は、りん青銅、ベリリウム銅等、導電性に優れ、可撓性を有する材料からなっている。
【００６６】
対物レンズアクチュエータ２の組立時には、サスペンションワイヤー４３、４４がゲルホルダ４１の貫通孔４１ａ、４１ｂに通された状態で、サスペンションワイヤー４３、４４の一端が回路基板４２のワイヤー孔４２ａ、４２ｂに通される。また、回路基板４２がゲルホルダ４１の嵌合部４１ｅに嵌め込まれる。この状態で、３つのサスペンションワイヤー４３がレンズホルダ２１の３つのワイヤー孔２１２ｌ（図８参照）に通され、３つのサスペンションワイヤー４４がレンズホルダ２１の３つのワイヤー孔２１２ｏ（図８参照）に通される。そして、ゲルホルダ４１の２つの突部４１ｃがベース３１の２つの孔３１ｐ（図７参照）に嵌められるようにして、ゲルホルダ４１がベース３１の鉤部３１ｎの背面に押し当てられる。この状態で、ベース３１のネジ穴３１ｏ（図７参照）と、ゲルホルダ４１のネジ孔４１ｄと、回路基板４２のネジ孔４２ｃが合わされ、ネジ４５により、回路基板４２がゲルホルダ４１に、ゲルホルダ４１がベース３１に螺着される。
【００６７】
図９は、対物レンズアクチュエータ２の構成を示す斜視図である。
【００６８】
図９に示すように、鍔部２１２ｋ、２１２ｍ、２１２ｎ、２１２ｐに接着剤が塗布されて、サスペンションワイヤー４３、４４がレンズホルダ２１に固着される。その後、レンズホルダ２１がＸＺ平面に平行、且つ、ＸＹ平面に平行となるように、直線状に張った状態でサスペンションワイヤー４３、４４が、回路基板４２に半田４２ｄ、４２ｅにより半田付けされる。これにより、レンズホルダ２１がベース３１上に浮いた状態で保持される。そして、ゲルホルダ４１の貫通孔４１ａ、４１ｂにゲル状緩衝剤が充填される。これにより、フォーカスサーボ、トラッキングサーボ時の光ピックアップ装置１に対する振動が軽減される。
【００６９】
そして、サスペンションワイヤー４３がレンズホルダ２１に固着された状態で、サスペンションワイヤー４３と、フォーカスコイル２２ａ、２２ｂの始端、終端の導線と、トラッキングコイル２３ａ〜２３ｄの始端の導線が回路基板２４に半田付けされて電気的に接続される。また、同様に、サスペンションワイヤー４４がレンズホルダ２１に固着された状態でサスペンションワイヤー４４と、フォーカスコイル２２ｃ、２２ｄの始端、終端の導線と、トラッキングコイル２３ａ〜２３ｄの終端の導線が回路基板２５に半田付けされて電気的に接続される。
【００７０】
図１０（ａ）は、回路基板２５周辺を示す一部拡大図である。図１０（ｂ）は、対物レンズアクチュエータ２をレンズユニット２０の重心Ｇ０を含むＸＹ平面に平行な平面で切断したときの断面を示す斜視図である。
【００７１】
上述したように、回路基板２５には、所定の回路パターン２５ａ〜２５ｃが形成されている。
【００７２】
回路パターン２５ａの左端（Ｚ軸正方向）には、トラッキングコイル２３ａ〜２３ｄの終端の導線が半田２５ｆにより接続される。回路パターン２５ａの右端（Ｚ軸負方向）には、サスペンションワイヤー４４が半田２５ｄにより接続される。また、図示を省略するが、反対側の回路基板２４も同様に回路パターン２４ａ（図４参照）と、トラッキングコイル２３ａ〜２３ｄの始端の導線およびサスペンションワイヤー４３が半田により接続される。これにより、サスペンションワイヤー４３、４４を介して、トラッキングコイル２３ａ〜２３ｄに電流が供給される。
【００７３】
回路パターン２５ｂ、２５ｃの左端（Ｚ軸正方向）には、フォーカスコイル２２ｃ、２２ｄの始端、終端の導線が半田２５ｅにより接続される。回路パターン２５ｂ、２５ｃの右端（Ｚ軸負方向）には、サスペンションワイヤー４４が半田２５ｄにより接続される。また、図示を省略するが、反対側の回路基板２４も同様に回路パターン２４ｂ、２４ｃ（図４参照）と、フォーカスコイル２２ａ、２２ｂの始端、終端の導線およびサスペンションワイヤー４４が半田２４ｅにより接続される。これにより、サスペンションワイヤー４３、４４を介して、フォーカスコイル２２ａ〜２２ｄに電流が供給される。
【００７４】
なお、図１０（ｂ）に示すように、半田２４ｄと半田２５ｄは、Ｘ軸方向に並ぶ位置に塗布されており、半田２４ｄと半田２５ｄを結ぶ直線上に、レンズユニット２０の重心Ｇ０が位置付けられている。
【００７５】
このようにして、図９に示すように対物レンズアクチュエータ２の組立が完了する。
【００７６】
なお、レンズホルダ２１にフォーカスコイル２２ａ〜２２ｄ、トラッキングコイル２３ａ〜２３ｄが装着され、これらが、回路基板２４、２５を介してサスペンションワイヤー
４３、４４に接続される構成は、請求項４に記載の構成の一例である。
【００７７】
図１１（ａ）、図１１（ｂ）は、対物レンズアクチュエータ２の磁気回路の構成を示す図である。図１１（ａ）は、対物レンズアクチュエータ２をヨーク３１ｇ、３１ｆを含むＹＺ平面に平行な断面で切断した断面図である。図１１（ｂ）は、対物レンズアクチュエータ２を上面から見たときの一部上面図である。なお、図１１（ｂ）では、便宜上、フォーカスコイル２２ａ〜２２ｄ、トラッキングコイル２３ａ〜２３ｄ以外のレンズユニット２０の部材が省略されている。また、図１１（ａ）、図１１（ｂ）中、円に黒点のマークおよび円にバツのマークは、電流が流れる方向を示す。円に黒点のマークは図面参照者に向かってくる方向を示し、円にバツのマークは図面参照者から遠ざかる方向を示す。
【００７８】
図１１（ａ）、（ｂ）を参照して、マグネット３２ａ〜３２ｄは、それぞれ、ヨーク３１ｆ〜３１ｉに対向している。したがって、マグネット３２ａ〜３２ｄで生じた磁界の磁束は、主にヨーク３１ｆ〜３１ｉに向かう。
【００７９】
また、フォーカスコイル２２ａ〜２２ｄは、それぞれ、マグネット３２ａ〜３２ｄのＮ極の領域に対向している。フォーカスコイル２２ａ、２２ｂに図１１（ａ）に示す方向の電流が流れると、フォーカスコイル２２ａ、２２ｂに上方向（Ｙ軸正方向）の電磁駆動力が作用する。また、同様に、フォーカスコイル２２ｃ、２２ｄに図１１（ａ）に示す方向の電流が流れると、フォーカスコイル２２ｃ、２２ｄに上方向（Ｙ軸正方向）の電磁駆動力が作用する。
【００８０】
フォーカスコイル２２ａ〜２２ｄに生じる電磁駆動力の合力（力点）がレンズユニット２０の重心Ｇ０と略同位置に位置付けられるように、フォーカスコイル２２ａ〜２２ｄの巻き数、ヨーク３１ｆ〜３１ｉの幅、厚み等が調整されている。本実施の形態では、バランサ２１１ｅ（図６参照）により、レンズユニット２０の重心Ｇ０がレンズホルダ２１の略中央に位置するよう、レンズユニット２０の重量が調整され、且つ、フォーカスコイル２２ａ〜２２ｄが、この重心Ｇ０に対して対称となる位置、すなわち、レンズユニット２０上の対角の位置にそれぞれ配置されているため、フォーカスコイル２２ａ〜２２ｄの巻き数、ヨーク３１ｆ〜３１ｉの幅、厚み等は略同じとなっている。なお、フォーカスサーボの際、フォーカスコイル２２ａ〜２２ｄには、互いに同じ量の電流（フォーカスサーボ信号）が流入する。
【００８１】
図１１（ａ）に示すように電流がフォーカスコイル２２ａ〜２２ｄに印加されると、レンズホルダ２１は、上方向に変位する。他方、反対方向に電流がフォーカスコイル２２ａ〜２２ｄに印加されると、レンズホルダ２１は、下方向（Ｙ軸負方向）に変位する。このようにして、対物レンズ１１３、１１４（図９参照）のフォーカス位置が調整される。
【００８２】
また、トラッキングコイル２３ａ〜２３ｄは、それぞれ、Ｘ軸方向に並ぶ２つの辺の内、レンズホルダ２１の中心側の辺が、マグネット３２ａ〜３２ｄのＮ極の領域に対向し、他方の辺は、マグネット３２ａ〜３２ｄに対向しないように位置付けられている。したがって、トラッキングコイル２３ａ〜２３ｄに図１１（ｂ）に示す方向の電流が流れると、トラッキングコイル２３ａ〜２３ｄにＸ軸正方向の電磁駆動力が作用する。また、これと反対方向に電流がトラッキングコイル２３ａ〜２３ｄに印加されると、トラッキングコイル２３ａ〜２３ｄにＸ軸負方向の電磁駆動力が作用する。これらの電磁駆動力によって、対物レンズ１１３、１１４（図９参照）がトラッキング方向に駆動される。
【００８３】
ここで、レンズホルダ２１は、肉薄の樹脂材等により構成されているため、剛性が低く、レンズホルダ２１自身が撓む等、変形し易い。このため、対物レンズ１１３、１１４のフォーカスサーボ、トラッキングサーボ時に、レンズホルダ２１が共振（振動）し、対物
レンズ１１３、１１４が設計位置から変位してしまう惧れがある。
【００８４】
図１２（ａ）は、本実施の形態におけるレンズユニット２０を上面から見たときの模式図である。図１２（ｂ）は、比較例におけるレンズユニット２０を上面から見たときの模式図である。
【００８５】
図１２（ａ）を参照して、本実施の形態では、上述のように、サスペンションワイヤー４３、４４は、鍔部２１２ｋ、２１２ｎとともに、鍔部２１２ｍ、２１２ｐにも接着剤が塗布されることにより、レンズホルダ２１に固着されている。すなわち、サスペンションワイヤー４３、４４は、レンズホルダ２１の側面に対して、それぞれ、２箇所で接続されている。したがって、鍔部２１２ｋと鍔部２１２ｍとの間に介在するサスペンションワイヤー４３の部分と、鍔部２１２ｎと鍔部２１２ｐとの間に介在するサスペンションワイヤー４４の部分が、それぞれ、レンズホルダ２１の剛性を補強する梁の役割を果たすようになる。このように、サスペンションワイヤー４３、４４によって、レンズホルダ２１の剛性が高められる。これにより、レンズホルダ２１自身が変形しにくくなり、対物レンズ１１３、１１４の共振を抑えることができる。
【００８６】
なお、このように、鍔部２１２ｋ、２１２ｎに連結された状態において、鍔部２１２ｎ、２１２ｋよりもサスペンションワイヤー４３、４４の端部が延びた長さを有し、レンズホルダ２１の側面に形成された鍔部２１２ｍ、２１２ｐにサスペンションワイヤー４３、４４の先端が接着固定される構成は、請求項１、２、３に記載の構成の一例である。
【００８７】
請求項３に記載の「壁面」は、鍔部２１２ｍ、２１２ｐのＺ軸負側の側面に相当する。鍔部２１２ｍ、２１２ｐに接着剤が塗布される前の状態において、サスペンションワイヤー４３、４４の先端は、鍔部２１２ｍ、２１２ｐのＺ軸負側の側面に対向しており、この側面とサスペンションワイヤー４３、４４の先端との間を橋架するように、接着剤が、鍔部２１２ｍ、２１２ｐのＺ軸負側の側面に塗布される。
【００８８】
また、本実施の形態では、回路基板２４、２５の一部がレンズホルダ２１の側面の中央を覆うように位置付けられているため、これら回路基板２４、２５によって、レンズホルダ２１の剛性がさらに高められる。これにより、さらに、レンズホルダ２１自身が変形しにくくなり、対物レンズ１１３、１１４の共振を抑えることができる。
【００８９】
本実施の形態では、サスペンションワイヤー４３、４４によって鍔部２１２ｋ、２１２ｎからＺ軸正側のレンズホルダ２１の部分が補強され、また、回路基板２４、２５によって鍔部２１２ｋ、２１２ｎからＺ軸負側のレンズホルダ２１の部分が補強される。このように、レンズホルダ２１の側面の広い範囲が補強されるため、レンズホルダ２１の剛性を顕著に高めることができ、レンズホルダ２１自身の変形を効果的に抑制することができる。
【００９０】
図１２（ｂ）を参照して、比較例の場合、サスペンションワイヤー４３、４４は、鍔部２１２ｍ、２１２ｐまで延びておらず、鍔部２１２ｋ、２１２ｎでのみ接着固定されている。この場合、サスペンションワイヤー４３、４４は、レンズホルダ２１の側面に対して、それぞれ、１箇所でのみ接続されており、レンズホルダ２１の剛性を高める作用に寄与しない。したがって、比較例の場合、レンズホルダ２１の剛性が低く、対物レンズ１１３、１１４のフォーカスサーボ、トラッキングサーボ時に、レンズホルダ２１が変形および共振し易い。
【００９１】
なお、レンズホルダ２１の剛性を高める方法として、鍔部２１２ｋ、２１２ｎと鍔部２１２ｍ、２１２ｐとの間にリブを形成する方法が想定され得る。しかし、こうすると、リ
ブを形成する部分が金型に対してアンダーカットとなってしまうため、金型がＹ軸方向に抜けなくなってしまう。本実施の形態では、上述のように、サスペンションワイヤー４３、４４の端部を延ばして鍔部２１２ｍ、２１２ｐに接着固定するといった簡単な構成によって、レンズホルダ２１の剛性を効果的に高めることができる。
【００９２】
＜実施の形態の効果＞
本実施の形態によれば、以下の効果が奏され得る。
【００９３】
サスペンションワイヤー４３、４４がレンズホルダ２１の側面に形成された鍔部２１２ｋ、２１２ｍ、２１２ｎ、２１２ｐに接着固定されるため、レンズホルダ２１の剛性を高めることができる。これにより、対物レンズ１１３、１１４の共振を抑えることができる。
【００９４】
また、回路基板２４、２５の一部がレンズホルダ２１の側面の中央を覆うように位置付けられているため、レンズホルダ２１全体の剛性を向上させることができる。特に、回路基板２４、２５は、鍔部２１２ｋ、２１２ｎからＺ軸負側のレンズホルダ２１の側面部分に配されているため、サスペンションワイヤー４３、４４と回路基板２４、２５とによって、レンズホルダ２１の側面の広い範囲を補強することができ、レンズホルダ２１の剛性を顕著に高めることができる。
【００９５】
本実施の形態では、対物レンズ１１３、１１４がＺ軸方向に並ぶため、レンズホルダ２１は、Ｚ軸方向の寸法が長くなり、このため、レンズホルダ２１は、Ｘ軸方向およびＹ軸方向に撓み易くなる。本実施の形態によれば、対物レンズ１１３、１１４の並び方向に垂直な方向に対物レンズ１１３、１１４を挟む側面が、サスペンションワイヤー４３、４４と回路基板２４、２５によって補強されるため、レンズホルダ２１はＸ軸方向およびＹ軸方向に撓みにくくなる。よって、対物レンズ１１３、１１４の共振を効果的に抑制することができる。
【００９６】
以上、本発明の実施の形態について説明したが、本発明は、上記実施の形態に何ら制限されるものではなく、また、本発明の実施の形態も上記以外に種々の変更が可能である。
【００９７】
たとえば、上記実施の形態では、鍔部２１２ｋ、２１２ｎのＺ軸正側の側面に接着剤が塗布され、鍔部２１２ｍ、２１２ｐのＺ軸負側の側面に接着剤が塗布されたが、図１３（ａ）に示すように、鍔部２１２ｋ、２１２ｎと鍔部２１２ｍ、２１２ｐとの間の領域が接着剤によって埋められても良い。こうすると、上記実施の形態に比べて、鍔部２１２ｋ、２１２ｎと鍔部２１２ｍ、２１２ｐとの間の領域の剛性が高められるが、その反面、接着剤の塗布量が増えるため、レンズユニット２０の重量が大きくなる。
また、鍔部２１２ｋ、２１２ｎと鍔部２１２ｍ、２１２ｐとの間の領域のうち、サスペンションワイヤー４３、４４に沿う部分にのみ接着剤を塗布して、サスペンションワイヤー４３、４４をレンズホルダ２１の側面に固定しても良い。こうすると、接着剤の塗布量の増加を抑えながら、上記実施の形態に比べて、鍔部２１２ｋ、２１２ｎと鍔部２１２ｍ、２１２ｐとの間の領域の剛性を高めることができる。
【００９８】
また、図１３（ｂ）に示すように、鍔部２１２ｋ、２１２ｎと鍔部２１２ｍ、２１２ｐとの間の領域の一部に、サスペンションワイヤー４３、４４をレンズホルダ２１の側面に固定するための接着剤を塗布しても良い。この場合も、接着剤の塗布量の増加を抑えながら、上記実施の形態に比べて、鍔部２１２ｋ、２１２ｎと鍔部２１２ｍ、２１２ｐとの間の領域の剛性を高めることができる。
【００９９】
なお、図１３（ｂ）の場合、新たに追加された接着剤は、Ｙ軸方向にサスペンションワ
イヤー４３、４４を跨ぐように塗布されてもよく、あるいは、サスペンションワイヤー４３、４４の位置にのみ点在するように、接着剤が塗布されても良い。接着剤の塗布量の増加を抑えるとの観点からは、後者のように、サスペンションワイヤー４３、４４の位置にのみ点在するように、接着剤を塗布するのが望ましい。
【０１００】
また、上記実施の形態では、サスペンションワイヤー４３、４４の端部をレンズホルダ２１に接着固定するために鍔部２１２ｍ、２１２ｐが形成されたが、サスペンションワイヤー４３、４４の端部を接着固定するための構成は、鍔部２１２ｍ、２１２ｐ以外の構成を用いることもできる。たとえば、鍔部２１２ｍ、２１２ｐを省略し、サスペンションワイヤー４３、４４の先端を直接レンズホルダ２１の側面に接着するようにしても良い。ただし、鍔部２１２ｍ、２１２ｐを設けた方が、より円滑に、サスペンションワイヤー４３、４４の先端をレンズホルダ２１に接着固定し易くなる。
【０１０１】
また、サスペンションワイヤー４３、４４の端部をレンズホルダ２１に固定する方法は、必ずしも接着剤で無くても良く、他の固定方法を用いても良い。ただし、接着剤は軽量であり、所望の個所に容易に塗布できるため、レンズユニット２０の軽量化および組立作業性の点からは、上記実施の形態のように、接着剤を用いてサスペンションワイヤー４３、４４の端部を固定するのが望ましい。
【０１０２】
また、サスペンションワイヤー４３、４４は、必ずしも先端が固定されなくてもよく、先端からやや鍔部２１２ｋ、２１２ｎ側の位置において、レンズホルダ２１に固定されても良い。
【０１０３】
また、上記実施の形態では、対物レンズ１１３、１１４は、サスペンションワイヤー４３、４４が延びる方向（ディスクのタンジェンシャル方向）に並ぶように配されたが、図１４（ａ）に示すように、ラジアル方向（Ｘ軸方向）に並ぶように対物レンズ１１３、１１４が配されても良い。
【０１０４】
また、上記実施の形態では、２つの対物レンズ１１３、１１４を保持する対物レンズアクチュエータ２の構成例が示されたが、図１４（ｂ）に示すように、１つの対物レンズ１２１を保持する対物レンズアクチュエータに本発明が適用されても良い。
【０１０５】
また、上記実施の形態では、フォーカスコイル２２ａ〜２２ｄは、レンズホルダ２１の４箇所に分かれて巻回されたが、レンズホルダ２１の２箇所に巻回されても良い。さらには、レンズホルダ２１の外周を囲うよう、一つのフォーカスコイルが配置されても良い。
【０１０６】
この他、本発明の実施の形態は、特許請求の範囲に示された技術的思想の範囲内において、適宜、種々の変更が可能である。
【符号の説明】
【０１０７】
１  …  光ピックアップ装置
１１３、１１４  …  対物レンズ（第１および第２の対物レンズ）
１２１  …  対物レンズ
２  …  対物レンズアクチュエータ（対物レンズ駆動装置）
２１  …  レンズホルダ（ホルダ）
２１２ｍ、２１２ｐ  …  鍔部（壁面）
２１２ｋ、２１２ｎ  …  鍔部（第１および第２の連結部）
２２ａ〜２２ｄ  …  フォーカスコイル（コイル）
２３ａ〜２３ｄ  …  トラッキングコイル（コイル）
２４、２５  …  回路基板（第１、第２の回路基板）
４３、４４  …  サスペンションワイヤー（支持部材）
【図１】
2014093106.tif 000003
【図２】
2014093106.tif 000004
【図３】
2014093106.tif 000005
【図４】
2014093106.tif 000006
【図５】
2014093106.tif 000007
【図６】
2014093106.tif 000008
【図７】
2014093106.tif 000009
【図８】
2014093106.tif 000010
【図９】
2014093106.tif 000011
【図１０】
2014093106.tif 000012
【図１１】
2014093106.tif 000013
【図１２】
2014093106.tif 000014
【図１３】
2014093106.tif 000015
【図１４】
2014093106.tif 000016